(57)【要約】【課題】  より小さい電気エネルギーで殺菌性金属イオンを含んだ洗浄水を流すことを目的としたものであり、水洗便器にぬめりの付着や臭気の発生を防止する機能を備え、さらに小便器においては、尿石の付着にともなう汚水の通過路の狭小化や美観の損傷、臭気の発生をも防止する機能も兼ね備える小型の便器洗浄装置を提供することを目的とする。【解決手段】  給水源と便器とを繋ぐ洗浄水供給路を給水弁によって開閉して便器を水洗する便器洗浄装置であって、前記給水弁は、前記洗浄水供給路を開閉する給水源の一次圧側と圧力室とを連通するブリード穴が設けられた主弁と、この主弁の圧力室と主弁の下流を結ぶ副流路と、前記副流路を開閉することで前記主弁による洗浄水供給路の開閉を行う電磁弁と、から成り、前記副流路には電解電圧により殺菌性金属イオンを溶出する電極が対向配設さてれいることを特徴とする。【選択図】  図１
2006104668.tif 000002
【特許請求の範囲】
【請求項１】
給水源と便器とを繋ぐ洗浄水供給路を給水弁によって開閉して便器を水洗する便器洗浄装置であって、前記給水弁は、前記洗浄水供給路を開閉する給水源の一次圧側と圧力室とを連通するブリード穴が設けられた主弁と、この主弁の圧力室と主弁の下流を結ぶ副流路と、前記副流路を開閉することで前記主弁による洗浄水供給路の開閉を行う電磁弁と、から成り、前記副流路には電解電圧により殺菌性金属イオンを溶出する電極が対向配設さてれいることを特徴とする便器洗浄装置。
【請求項２】
前記電極は給水弁本体と一体に構成されてなることを特徴とする請求項１に記載された便器洗浄装置。
【請求項３】
前記電極と制御装置とを接続する電極端子部が、電極材質と同一かつ連続した構造であることを特徴とする請求項２に記載された便器洗浄装置。
【発明の詳細な説明】
【技術分野】
【０００１】
本発明は、殺菌性金属イオンが添加された水を生成する電極を水洗便器への便器洗浄水給水路に設けた便器洗浄装置に関する。
【背景技術】
【０００２】
従来、水洗便器へのぬめりの付着や臭気の発生をともなう汚水の通過路の狭小化や美観の損傷、臭気の発生をも防止するために、図４，５に示す便器洗浄装置が知られている。即ち、給水路に配設され、電解電圧により殺菌性金属イオンを溶出する対向した電極間に形成された流路と、流路に連通する液体流入口と液体流出口を有する電極において、電極間に形成された流路の断面積が液体流入口もしくは液体流出口の流路断面積以上であることにより、電極での圧損を抑えることができ、例えば、水洗便器の便器洗浄水給水路に配設された電極での便器洗浄水の通水圧力の上昇を抑制し、便器の洗浄水量の低下を防止することによって、便器の洗浄に必要な水量を確保して便器を洗浄するというものである（特開２００１−２５２６６６）。
【０００３】
【特許文献１】特開２００１―２５２６６６号公報（第１−４頁、第１図、第２図）
【発明の開示】
【発明が解決しようとする課題】
【０００４】
しかしながら、従来の発明では上記のように電極間に形成された流路の断面積を液体流入口もしくは液体流出口の流路断面積以上とすることにより電極での圧損を抑えるため、電極間距離が大きく、殺菌水を発生させるためには大きな電力が必要であり多大なエネルギーが消費されるという課題があった。
【０００５】
また、通水路に給水弁に加えて電極を配置するため、装置が大型化し装置の収納上に問題があった。
【０００６】
本発明はこのような課題を解決するためになされたもので、より小さい電気エネルギーで殺菌性金属イオンを含んだ洗浄水を流すことを目的としたものであり、水洗便器にぬめりの付着や臭気の発生を防止する機能を備え、さらに小便器においては、尿石の付着にともなう汚水の通過路の狭小化や美観の損傷、臭気の発生をも防止する機能も兼ね備える小型の便器洗浄装置を提供することを目的とする。
【課題を解決するための手段】
【０００７】
上記課題を解決するために第１の発明は、給水源と便器とを繋ぐ洗浄水供給路を給水弁によって開閉して便器を水洗する便器洗浄装置であって、前記給水弁は、前記洗浄水供給路を開閉する給水源の一次圧側と圧力室とを連通するブリード穴が設けられた主弁と、この主弁の圧力室と主弁の下流を結ぶ副流路と、前記副流路を開閉することで前記主弁による洗浄水供給路の開閉を行う電磁弁と、から成り、前記副流路には電解電圧により殺菌性金属イオンを溶出する電極が対向配設さてれいることを特徴とする。これにより小さい電気エネルギーで便器のぬめりの付着や臭気の発生を防止することが出来る。
【０００８】
第２の発明は、電極が給水弁本体と一体に構成されてなるものである。これにより、装置全体を小型化することができる。
【０００９】
第３の発明は、電極と電気分解制御装置とを接続する電極端子部が、電極材質と同一かつ連続した構造としたものである。これにより、異種金属の接続が無く、さらに組み立て工程を簡略化出来る生産性に優れた一体型の電極を供給することが出来る。
【発明の効果】
【００１０】
本発明は上記構成により次の効果を発揮する。即ち、小便器のボウル面、トラップ部さらには小便器よりも下流の配管に、より小さい電気エネルギーで銀成分を含んだ水を供給することができ、小便器に細菌の増殖によって生じるぬめりの付着や臭気の発生を防止するとともに、尿石の付着にともなう汚水の通過路の狭小化や美観の損傷、臭気の発生をも防止することができる。
【００１１】
製造工程が大幅に低減されるとともに、均質かつ電解特性の安定した電極が簡便に提供できる。
【００１２】
コンパクトな構造が可能となるため、これまで給水配管設置スペースが狭く設置が困難であった部位や複数連結された多連便器システム等への組込が容易となる。
【発明を実施するための最良の形態】
【００１３】
以下、本発明の実施例を図面を用いて説明する。なお、本実施例では主として本発明の便器洗浄水の殺菌方法及び殺菌装置を小便器に適用した例を示したが、大便器に用いても同様の効果を発揮することができ、また、便器以外の浴室内の洗浄装置や、トイレや厨房等の床洗浄用としてホースへ接続して用いることもできる。
【００１４】
図２は本発明に係る便器洗浄装置の実施例である。便器洗浄用給水管４に電極２１６と一体に形成されてからなる給水弁３が接続されている。給水弁３は公知の便器自動洗浄システム５に電気的に接続されている。便器洗浄用給水管４は小便器１に接続されている。また、制御装置６が電源部７、電極２及び便器自動洗浄システム５とに電気的に接続されている。
【００１５】
図１は本実施例に用いる給水弁３の詳細図であり、閉弁時の断面図である。給水弁３は一次側に洗浄用給水管４と接続されおり、洗浄用給水管４と連通する一次側流路３０１には主弁座３０２が配設されており主弁３０３によって一次側流路３０１と二次側流路３０４が隔てられている。主弁３０１の上部には圧力室３０５が形成されており、主弁３０１にはブリード穴３０６が配設され、一次側流路３０１と圧力室３０５を連通している。さらに前記圧力室３０５と前記主弁３０３の下流の二次側流路３０４を連通するために副流路３０７が形成されており、前記副流路３０７の途中に副弁座３０８と副弁座３０８を開閉する副弁３０９が形成されている。前記副弁座３０８には前記ブリード穴３０６の径よりも大きい径の副弁口３１０が形成されている。前記副弁３０９は電磁弁３１１として外周をコイル３１２によって巻かれた略円柱形の可動鉄心３１３の先端に形成されている。一方、前記可動鉄芯３１３の他端には可動鉄心３１３が下方へ付勢されるように固定鉄芯３１４との間にばね３１５が嵌合されている。前記副弁３０９の更に下流には銀の平板を向かい合わせて約３ｍｍの間隔で配置した一対の電極３１６を配設し、副流路３０７は二次側流路３０４と主弁座３０２の下流で合流している。
【００１６】
図３は便器洗浄水の電極通過時の流量と電流１．５ｍＡ印加時の電圧の関係を示したものである。ここで、小便器に流れ込む洗浄水の総流量をＱ、電極間を通過する流量をｑ、主弁を通過する流量をＱ０とすると、従来例において電極間距離ｄ＝１０ｍｍの場合、Ｑ＝Ｑ０＝ｑであり、圧力０．０７ＭＰａの場合の総流量Ｑは約１７Ｌ／ｍｉｎとなる。本実施例において電極間距離ｄ＝３ｍｍであって、ブリード穴３０６の穴径が約０．５ｍｍの場合、総流量Ｑ＝Ｑ０＋ｑで、Ｑ＝１７Ｌ／ｍｉｎ、Ｑ０＝１６〜１６．５Ｌ／ｍｉｎ、ｑ＝０．５〜１Ｌ／ｍｉｎとなり、電極間を通過する流量が小さいため、図３において従来例の電極間距離ｄ＝１０の場合の消費電力をａ、本実施例でｄ＝３ｍｍの場合の消費電力ｂとすると、消費電力は従来の約１／１０になることが分かる。即ち、電極間を通過する流量を少なくし、電極間距離ｄを小さくした場合、電解槽の低消費電力化が図れ、銀イオン殺菌水の発生効率が良好になることが分かる。また、１ｐｐｂ以上の銀濃度があれば便器を洗浄するに十分な効果をもたらすことができることが分かっている。したがって、副流路において電極間距離が小さい電極で発生した銀イオン殺菌水を主流路に合流させることで希釈し、より小さい電気エネルギーで所定の濃度の銀イオン殺菌水を得ることができる。 
【００１７】
また、電極３１６と制御装置６とを接続する電極端子部３１６ａとが、銀（Ａｇ）若しくは銀を含有する金属の同一材質とし、給水弁本体３１７を製造するときにインサート成型することによって、電極３１６を給水弁本体３１７と一体に形成している。従って、電極３１６と給水弁本体３１７との密着性が高く、水漏れの発生を防止することができる。
【００１８】
次に動作について説明する。便器洗浄は便器洗浄水に銀成分を含む場合と、便器洗浄水に銀成分を含まない場合とに適宜分けられる。便器洗浄水に銀成分を含まない場合は、使用者が小便器１を使用した後、便器自動洗浄システム５の作動により給水弁３が開き、便器洗浄用給水管４を通り給水弁３と一体に形成された電極３１６を通じて小便器１に供給される。
【００１９】
次に、便器洗浄水に銀成分を含む場合、便器洗浄の開始は、便器自動洗浄システム５の作動による給水弁３の開弁動作を検知して、電源部７の電気エネルギーが制御装置６を介して一対の電極３１６に給電され、電極３１６のいずれかアノード側から銀成分が溶出し銀成分を含んだ便器洗浄水が便器洗浄用給水管４を通って小便器１に供給される。さらに、便器洗浄の終了は、便器自動洗浄システム５の作動による給水弁３の閉弁信号を検知して、電源部７の電気エネルギーが制御装置６を介して一対の電極３１６への給電を停止する。
【００２０】
また、一対の電極３１６への給電停止は、給水弁３の開弁信号を検知後、所定の時間経過後に作動させるようにしてもよい。
【００２１】
ここで、給水弁３は次のように動作する。先ず、閉動作、即ち、コイル２１２への電力供給が切られた状態では、可動鉄芯３１３はばね３１５によって下方へ付勢され、副弁３０９が副弁座３０８に当接するため、副弁座３０８を塞いで副流路３０７が遮断される。そのため、一次側流路内に流入した流体は、ブリード穴３０６から圧力室３０５へ流入し、一次側流路３０１と圧力室３０５の圧力が略同一となり、主弁３０３を主弁座３０２へ押圧する力が作用するため、二次側流路３０４への流体の流出が制限され、主弁３０３は閉止状態となる。
【００２２】
一方、開弁動作、即ち、コイル３１２に電力が供給されると、可動鉄芯３１３の上下方向に磁界が発生し、可動鉄芯３１３がばね３１５の下方への付勢力に反して上方へ持ち上げられる。これにより、副弁３０９が副弁座３０８から離れ、副流路３０７が連通される。 
【００２３】
そして、一次側流路３０１から流体が供給され、更に、圧力室３０５の流体が副流路３０７から二次側流路３０４へ流出すことにより、圧力室内の圧力が下がるため、一次側流路３０１からの圧力により、主弁３０３を上方へ押し上げる。主弁３０３が上方へ押し上げられると、主弁座３０２が開口されて一次側流路３０１と二次側流路３０４とが連通し、流体が流れる状態が維持されることとなる。これは、主弁３０３に形成されたブリード穴３０６の径よりも副弁口３１０の径の方が大きいため、流体がブリード穴３０６から圧力室内３０５に流入するよりも副流路３０７から流出する量が多く、圧力室３０５の圧力が下がったところで主弁３０３に流体が作用するためである。
【００２４】
以上本発明の実施例を詳述したがこれはあくまで一例示である。本発明はその趣旨を逸脱しない範囲において種々の変更を加えた形で構成可能である。
【図面の簡単な説明】
【００２５】
【図１】図１における給水弁の詳細を表した図である。
【図２】本発明の一実施例である装置を示す図である。
【図３】便器洗浄水の電極通過時の流量と電流１。５ｍＡ印加時の電圧の関係を示す図である。
【図４】従来の便器洗浄装置の一例を示す図である。
【図５】図４に示す従来の便器洗浄装置の電解槽の一例を示す図である。
【符号の説明】
【００２６】
１…便器、２…電解槽、３…給水弁、４…便器洗浄用給水管、５…便器自動洗浄システム、６…制御装置、７…電源部、３０１…一次側流路、３０２…主弁座、３０３…主弁、３０４…二次側流路、３０５…圧力室、３０６…ブリード穴、３０７…副流路、３０８…副弁座、３０９…副弁、３１０…副弁口、３１１…電磁弁、３１２…コイル、３１３…可動鉄芯、３１４…固定鉄芯、３１５…ばね、３１６…電極、３１６ａ…電極接続部、３１７…給水弁本体
【図１】
2006104668.tif 000003
【図２】
2006104668.tif 000004
【図３】
2006104668.tif 000005
【図４】
2006104668.tif 000006
【図５】
2006104668.tif 000007